(57)【特許請求の範囲】
【請求項１】
固定用壁と土留用壁とを備えた擁壁ブロックにおいて、
前記土留用壁の上端部に形成される透孔又は切欠きの形成箇所に、土留めされる土材又は道路舗装材に対向するように固着される地中水排水用部材と、
前記土留用壁の外方壁面に形成され、前記地中水排水用部材の配設箇所から前記土留用壁の下方へ延設される導水用凹部とを備えており、
前記地中水排水用部材は、前記土材又は道路舗装材内に含まれる地中水を前記土留用壁の外方壁面へ排水する一方、
前記導水用凹部は、前記地中水排水用部材より排水される地中水を前記土留用壁の下方へ導水することを特徴とする擁壁ブロック。
【請求項２】
固定用壁と土留用壁とを備えた擁壁ブロックにおいて、
前記土留用壁の上端部に形成される透孔又は切欠きの形成箇所であって、前記土留用壁の上端面側または内方壁面側に固着される地表水排水用部材と、
前記土留用壁の外方壁面側に形成され、前記地表水排水用部材の配設箇所から前記土留用壁の下方へ延設される導水用凹部とを備えており、
その地表水排水用部材は、前記土材又は道路舗装材の上面に溜まる地表水を前記土留用壁の外方壁面へ排水する一方、
前記導水用凹部は、前記地表水排水用部材より排水される地表水を前記土留用壁の下方へ導水することを特徴とする擁壁ブロック。
【請求項３】
地中水排水用部材と一体的に形成され、土留用壁の上端面側または内方壁面側に固着される地表水排水用部材を備えており、
導水用凹部は、地表水排水用部材を介して排水される地表水を併せて、前記土留用壁の下方へ導水することを特徴とする請求項１記載の擁壁ブロック。
【請求項４】
土留される土材若しくは道路舗装材内に含まれる地中水、又はそれら土材若しくは道路舗装材上に溜まる地表水を地中水排水用部材又は地表水排水用部材の配設箇所まで案内する案内部を備えていることを特徴とする請求項１から３の何れかに記載の擁壁ブロック。
【請求項５】
導水用凹部の表面には、排水の流れを遅くするための緩衝用凹凸部が形成されていることを特徴とする請求項１から４の何れかに記載の擁壁ブロック。
【発明の詳細な説明】
【０００１】
【発明の属する技術分野】
本発明は、固定用壁と土留用壁とか成る擁壁ブロックに関し、特に、土留壁の内方の地中水及び地表水を土留壁外方側へ円滑に導水することができる擁壁ブロックに関する。
【０００２】
国道、県道、その他の主要道路に多く見受けられるが、盛土又は切土が為されることにより、路面が周囲の地面に比べて、高くされている道路Ａが良く見受けられる。そして、このように盛土又は切土がされてなる道路Ａには、図１０から図１３に示すような土留めのための擁壁ブロック９１０，９２０，９３０，９４０が用いられる。これら擁壁ブロック９１０，９２０，９３０，９４０は、夫々、土留用壁９１１，９２１，９３１，９４１と、固定用壁９１２，９２２，９３２，９４２とによって構成されている。
【０００３】
【発明が解決しようとする課題】
ここで、図２１は、従来技術の擁壁ブロック９１０の設置例を示す図である。この図２１に示す設置例の場合には、車道Ａ１の端部に排水溝Ｂ１が形成されている。このため、道路Ａ上に雨等が降った場合、車道Ａ１上に溜まった地表水は、排水溝Ｂ１を介して排水される。一方、歩道Ａ２上に溜まった地表水は、逃げ場を失って擁壁ブロック９１０の設置箇所まで流れ着き、道路Ａ（擁壁ブロック９１０）の外側に向かって排水される。
【０００４】
しかしながら、擁壁ブロック９１０の外側に向かって排水される地表水は、横向きに勢いよく飛び出してしまうという問題点があった。このため、排水された地表水が擁壁ブロック９１０の側方等に設けられた排水溝Ｂ２内に落ちないし、地表水が水しぶきとなって排水溝Ｂ２の設置箇所付近を通行する人や建築物等に当たり好ましくない。
【０００５】
一方、図２２は、従来技術の擁壁ブロック９２０の実施例を示す図である。この図２２に示す実施例の場合には、図２１に示す従来技術に対し、土留用壁９２１の上端面が歩道Ａ２の路面よりも高くされている。このため、歩道Ａ２の上面に地表水が溜まってしまうという問題点があった。
【０００６】
また、図２３は、従来技術の擁壁ブロック９３０の他の実施例を示す図である。この図２３に示す実施例の場合には、歩道Ａ２側に排水溝Ｂ３が設けられている。このように、排水溝Ｂ３を設ければ、擁壁ブロック９３０の外壁側へ飛び出してしまうことを防止することができる。しかしながら、歩道Ａ２側に排水溝Ｂ３を設けると、その分歩道Ａ２の幅が狭くなってしまう。即ち、道路Ａを有効活用することができないという問題点があった。また、このように歩道Ａ２側に排水溝Ｂ３を設置する構成とすると、バリアフリーの観点からも好ましくなくなかった。
【０００７】
更に、図２４は、従来技術の擁壁ブロック９４０の更に他の実施例を示す図である。この図２４に示す実施例の場合には、土留用壁９４１の内壁面９４１ａに排水用溝９４１ｂが形成されるとともに、土留用壁９４１の中間部に排水用溝９４１ｂを外壁面９４１ｂに連通させるための排水用孔９４１ｃが形成されている。これにより、歩道Ａ２上の地表水のみならず、歩道Ａ２内の地中水をも、矢印▲１▼に沿って排水溝Ｂ２まで排水することができる。しかしながら、このように構成すると、使用に伴い排水用溝９４１ｂや排水用孔９４１ｃが詰まってしまい、結局、矢印▲２▼に示すように、擁壁ブロック９３０の外壁側へ飛び出してしまうという問題点があった。また、図１３に示す従来例の場合には、雨等が降ったときにおいても、地中深くに浸透した後にしか排出することができず、地面がぬかるんでしまう等の問題点があった。
【０００８】
そこで、案出されたのが本発明であって、本発明は、地表水及び地中水を土留用壁の外方壁側へ円滑且つ迅速に排水することができる擁壁ブロックを提供することを目的としている。
【０００９】
【発明が解決しようとする課題】
この目的を達成するために請求項１記載の擁壁ブロックは、固定用壁と土留用壁とを備え、前記土留用壁の上端部に形成される透孔又は切欠きの形成箇所に、土留めされる土材又は道路舗装材に対向するように固着される地中水排水用部材と、前記土留用壁の外方壁面に形成され、前記地中水排水用部材の配設箇所から前記土留用壁の下方へ延設される導水用凹部とを備えており、前記地中水排水用部材は、前記土材又は道路舗装材内に含まれる地中水を前記土留用壁の外方壁面へ排水する一方、前記導水用凹部は、前記地中水排水用部材より排水される地中水を前記土留用壁の下方へ導水するものである。
【００１０】
請求項２記載の擁壁ブロックは、固定用壁と土留用壁とを備えた擁壁ブロックにおいて、前記土留用壁の上端部に形成される透孔又は切欠きの形成箇所であって、前記土留用壁の上端面側または内方壁面側に固着される地表水排水用部材と、前記土留用壁の外方壁面側に形成され、前記地表水排水用部材の配設箇所から前記土留用壁の下方へ延設される導水用凹部とを備えており、その地表水排水用部材は、前記土材又は道路舗装材の上面に溜まる地表水を前記土留用壁の外方壁面へ排水する一方、前記導水用凹部は、前記地表水排水用部材より排水される地表水を前記土留用壁の下方へ導水するものである。
【００１１】
請求項３記載の擁壁ブロックは、請求項１記載の擁壁ブロックにおいて、地中水排水用部材と一体的に形成され、土留用壁の上端面側または内方壁面側に固着される地表水排水用部材を備えており、導水用凹部は、地表水排水用部材を介して排水される地表水を併せて、前記土留用壁の下方へ導水する。
【００１２】
請求項４記載の擁壁ブロックは、請求項１から３の何れかに記載の擁壁ブロックにおいて、土留される土材若しくは道路舗装材内に含まれる地中水、又はそれら土材若しくは道路舗装材上に溜まる地表水を地中水排水用部材又は地表水排水用部材の配設箇所まで案内する案内部を備えている。
【００１３】
請求項５記載の擁壁ブロックは、請求項１から４の何れかに記載の擁壁ブロックにおいて、導水用凹部の表面には、排水の流れを遅くするための緩衝用凹凸部が形成されている。
【００１４】
【発明の実施の形態】
以下、添付図面を参照して本発明の好ましい実施例について説明する。勿論、下記実施例は、本発明の好ましい実施例を示すに過ぎないから、本発明の技術的範囲は、下記実施例そのものに何ら限定されるものでない。
【００１５】
図１は、本発明の一実施例を示す擁壁ブロック１の斜視図である。図１に示すように、擁壁ブロック１は、断面略Ｌ字状に形成されており、主に、土留用壁１１と、固定用壁１２と、排水用部材１３と、導水用凹部１４とによって構成されている。ここで、擁壁ブロック１の形状は、勿論、断面略Ｌ字状のものに限られるものではなく、土留用壁部と固定用壁部とを備えるものであれば、例えば、台形状、その他の形状であっても良いことはいうまでもない。
【００１６】
土留用壁１１は、盛土又は切土がされてなる道路Ａの側面に配設されるものであり、土留め（土崩れ防止）をするためのものである。固定用壁１２は、擁壁ブロック１を地面に固定するためのものであり、土留用壁１１の下方に一体的に形成されている。排水用部材１３は、土留用壁１１の内方壁面１１ａ側に配設される道路Ａの上面又は内部の水分を土留用壁１１の外方壁面１１ｂへ排水するためのものであり、上端面１１ｃ側に配設される地表水排水プレート１３ａと、内方壁面１１ａ側に配設される地中水排水プレート１３ｂとによって構成されている。排水用部材１３の材質は、何ら限定されるものではなく、例えば、鉄等の金属性であっても良いし、ポーラスコンクリート性であっても良いし、フィルターその他の吸出防止材性であっても良いが、硬質性のものが好ましい。
【００１７】
地表水排水プレート１３ａは、土留用壁１１の上端面１１ｃ側に配設されており、土留めの対象である道路舗装材Ｃ（図３参照）の上面に溜まった地表水を土留用壁１１の外方壁面１１ｂに排水するためのものであり、開口面が土留用壁１１の上端面の向きとされた複数の地表水用透孔１３ｃを備えている。地表水は、この地表水用透孔１３ｃを介して排水されるのである。
【００１８】
地中水排水プレート１３ｂは、土留用壁１１の内方壁面１１ａ側に配設されており、土留めの対象である道路舗装材Ｃの内部に溜まった地中水を土留用壁１１の外方壁面１１ｂに排水するためのものであり、開口面が道路舗装材Ｃに対向する向きとされた複数の地中水用透孔１３ｄを備えている。地中水は、この地中水用透孔１３ｄを介して排水されるのである。
【００１９】
ここで、地表水排水プレート１３ａ及び地中水排水プレート１３ｂは、断面略Ｌ字状となるように一体的に形成されている。これが故に、地表水及び地中水の両方を排水することができる擁壁プレート１の構成を、簡素化することができる。勿論、排水プレート１３の形状は、断面略Ｌ字状となる形状に限られず、例えば、ボックス状（筐体状）など、種々の形状であっても良いものである。
【００２０】
導水用凹部１４は、地表水排水プレート１３ａ及び地中水排水プレート１３ｂにより排水された地表水及び地中水を土留用壁１１の下方まで導水するためのものであり、土留用壁１１の外方壁面１１ｂであって、排水用部材１３の配設箇所から下方に向かって凹状に延設されている。そして、このように凹状に形成されているので、即ち、他の外方壁面１１ｂに比べて凹んでいるので、排水の通道を限定することができる。ひいては、例えば、多量の雨が降っても、排水された地表水及び地中水が予期せぬ方向へ流れてしまうことを防止することができるとともに、排水により経年的に発生するシミにより土留用壁１１の美観、即ち擁壁ブロック１の美観が損なわれてしまうことを防止することができる。
【００２１】
以下、図３を参照して、擁壁ブロック１の設置例について説明する。図３に示す場合には、土留の対象となる道路舗装材Ｃが透水性のものであり、これが故に、土留用壁１１の上端面１１ｃの高さが道路舗装材Ｃの上面の高さと同一の高さとされている。そして、このように設置された擁壁ブロック１によれば、雨が降ったり等して道路舗装材Ｃの内部に地中水が発生すると、この地中水は、土留用壁１１の設置箇所（内方壁面１１ａ）まで流れていく。内方壁面１１ａに到達した地中水は、内方壁面１１ａに沿って排水用部材１３の配設箇所まで案内される。即ち、図３に示す設置例の場合、地中水を排水用部材の配設箇所まで案内する案内部１５は、土留用壁１１の内方壁面１１ａの上部によって構成されている。勿論、地中水の中には内方壁面１１ａに到達（接触）することなく、排水用部材１３に到達するものも存在する。
【００２２】
排水用部材１３の地中水用透孔１３ｄを介して土留用壁１１の外方壁面１１ｂへ排水された地中水は、土留用壁１１の外方壁面１１ｂに形成された導水用凹部１４に沿って土留用壁１１の下側方に配設された排水溝Ｂ２内まで導水される。ここで、導水用凹部１４は、排水溝Ｂ２の上端面の高さまで設けられており、その高さより下側は埋設されている。これにより、排水される地中水の全てを排水溝Ｂ２まで導水することができる。勿論、排水溝Ｂ２の代わりに大小の河川等が流れている場合には、この河川等へ導水するようにしても良い。
【００２３】
なお、土留用壁１１の上端面１１ｃを外方壁面１１ｂが高くなるように斜行形成しても良い（図示せず）。このように形成すれば、道路舗装材Ｃの内部に浸透せず、道路舗装材Ｃの表面を地表水となって土留用壁１１の設置箇所まで流れた場合にも、この斜行形成された土留用壁１１の上端面１１ｃにより地表水を排水用部材１３の設置箇所まで案内する案内部を形成することができるのである。
【００２４】
次に、図４を参照して、擁壁ブロック１の他の設置例を示す図である。なお、図３に示す設置例と同一の部分には同一の符号を付して説明を省略し、異なる部分のみを説明する。図４に示す場合には、土留の対象となる道路舗装材Ｃが非透水性のものであり、これが故に、土留用壁１１の上端面１１ｃの高さが道路舗装材Ｃの上面の高さよりも高くされている。そして、このように設置された擁壁ブロック１によれば、雨が降ったり等して道路舗装材Ｃの上面に地表水が発生すると、この地表水は、土留用壁１１の設置箇所（内方壁面１１ａ）まで流れていく。内方壁面１１ａに到達した地表水は、内方壁面１１ａに沿って排水用部材１３の配設箇所まで案内される。即ち、図４に示す設置例の場合、地表水を排水用部材の配設箇所まで案内する案内部１５は、土留用壁１１の内方壁面１１ａの上部によって構成されている。勿論、地表水の中には内方壁面１１ａに到達（接触）することなく、排水用部材１３に到達するものも存在する。なお、土留用壁１１の上端面１１ｃの高さが道路舗装材Ｃの上面の高さよりも高い場合には、道路舗装材Ｃが透水性のものであっても同様の作用を奏するから、説明を省略する。
【００２５】
排水用部材１３の地中水用透孔１３ｄを介して土留用壁１１の外方壁面１１ｂへ排水された地表水は、土留用壁１１の外方壁面１１ｂに形成された導水用凹部１４に沿って土留用壁１１の下側方に配設された排水溝Ｂ２内まで導水される。即ち、図４に示す設置例とすることにより、地中水を排水するための主目的とする地中水排水プレート１３ａを介して地表水を排水することもできるのである。
【００２６】
「第２実施例」
次に、図５を参照して、本発明の他の実施例（第２実施例）について説明する。なお、第１実施例と同一の部分には、同一の符号を付してその説明を省略し、異なる部分のみを説明する。図５に示す第２実施例の擁壁ブロック２によれば、排水用部材２３及び排水用凹部２４が土留用壁１１の長手方向側端部１１ｄ側に設けられている（片方のみを図示）。そして、二つの擁壁ブロック２，２を組み合わせることにより、第１実施例に示す排水用部材１３及び排水用凹部２４と同様の構成となるのである。従って、擁壁ブロック１を製造する場合に比べて、擁壁ブロック２の製造を簡素化することができるのである。
【００２７】
「第３実施例」
次に、図６を参照して、本発明の更に他の実施例（第３実施例）について説明する。なお、上記実施例と同一の部分には、同一の符号を付してその説明を省略し、異なる部分のみを説明する。図６に示す第３実施例の擁壁ブロック３は、第１実施例の擁壁ブロック１に対して、地表水排水プレート１３ａを省略したものである。即ち、排水用部材が地中水排水プレート１３ｂのみによって構成されている。
【００２８】
「第４実施例」
次に、図７を参照して、本発明の更に他の実施例（第４実施例）について説明する。なお、上記実施例と同一の部分には、同一の符号を付してその説明を省略し、異なる部分のみを説明する。図７に示す第４実施例の擁壁ブロック４は、第１実施例の擁壁ブロック１に対して、地中水排水プレート１３ｂを省略したものである。即ち、排水用部材が地表水排水プレート１３ａのみによって構成されている。
【００２９】
「第５実施例」
次に、図８を参照して、本発明の更に他の実施例（第５実施例）について説明する。なお、上記実施例と同一の部分には、同一の符号を付してその説明を省略し、異なる部分のみを説明する。図８に示す第５実施例の擁壁ブロック５は、第１実施例の擁壁ブロック１に対して、土留用壁１１の上端面１１ｃに案内用凸状壁５５を設けたものである。この案内用凸状壁５５により、図８に示すよう擁壁ブロック５を設置した場合にも、地表水を排水用部材１３の配設箇所まで案内することができるのである。
【００３０】
「第６実施例」
次に、図９を参照して、本発明の更に他の実施例（第６実施例）について説明する。なお、上記実施例と同一の部分には、同一の符号を付してその説明を省略し、異なる部分のみを説明する。図９に示す第６実施例の擁壁ブロック６には、導水用凹部１４の表面に、排水の流れを遅くするための緩衝用凹凸部１４ａが形成されている。これにより、多量の排水が流れても、水しぶきが跳ねたりしてしまうことを防止することができるのである。
【００３１】
「第７実施例」
次に、図１０から図１２を参照して、本発明の更に他の実施例（第７実施例）について説明する。なお、上記実施例と同一の部分には、同一の符号を付してその説明を省略し、異なる部分のみを説明する。
【００３２】
図１０から図１２までに示す第７実施例の擁壁ブロック７には、土留用壁１１の内方壁面１１ａの上端部に沿って且つその上端部全域にグレーチング７３が配設されている。グレーチング７３は、地中水及び地表水の両方を排水可能であり、高さ方向の断面が格子状に形成されるとともに、道路舗装材Ｃとの接触面７３ａ側には複数の透孔７３ｂが全面に形成されている。従って、道路舗装材Ｃ内に多量の地中水が発生した場合にも、道路舗装材Ｃの下方（地中深く）に地中水を沈ませることなく、迅速に排水することができる。また、格子状に形成されているので、格子孔７３ｃを介して道路舗装材Ｃ上に発生した多量の地表水をも排水することができる。
【００３３】
導水用凹部７４は、導水用凹部１４及び導水用凹部２４と同様に、地表水及び地中水を土留用壁１１の下方まで導水するためのものであり、土留用壁１１の側方壁面１１ｂ側であって長手方向側端部１１ｄに形成されるとともに、内方壁面１１ａ側に配設されるグレーチング７３に連通する連通部７４ａを備えた構成とされている。このように、グレーチング７３に連通する導水用凹部７４が土留用壁１１の側端部に形成されているので、グレーチング７３に連通する導水用凹部７４の形成作業を容易とすることができる。また、本擁壁ブロック７を並べた場合に、図１２に示すように、導水用凹部７４が隣合う位置とされ、多量の地中水及び地表水を導水することができる。
【００３４】
「第８実施例」
次に、図１３及び図１４を参照して、本発明の更に他の実施例（第８実施例）について説明する。なお、上記実施例と同一の部分には、同一の符号を付してその説明を省略し、異なる部分のみを説明する。図１３及び図１４に示す擁壁ブロック８は、地中水排水プレート１３ｂが、隣合う位置に並べられた土留用壁１１，１１の上端部に、ビス７０等により固着されるものである。従って、擁壁ブロック８を設置した後に地中水排水プレート１３ｂを後付することができるとともに、地中水排水プレート１３ｂを介して隣合う擁壁ブロック８同士を接合することができる。この地中水排水プレート１３ｂを介して排水される地中水は、導水用凹部２４を介して排水される。
【００３５】
「第９実施例」
次に、図１５及び図１６を参照して、本発明の更に他の実施例（第９実施例）について説明する。なお、上記実施例と同一の部分には、同一の符号を付してその説明を省略し、異なる部分のみを説明する。図１５及び図１６に示す第９実施例の擁壁ブロック９は、第８実施例の擁壁ブロック８を構成する地中水排水プレート１３ｂに対して地表水排水プレート１３ａを一体的に設けたものである。従って、地中水のみならず、地表水も円滑に排水することができる。
【００３６】
「第１０実施例」
次に、図１７及び図１８を参照して、本発明の更に他の実施例（第１０実施例）について説明する。なお、上記実施例と同一の部分には、同一の符号を付してその説明を省略し、異なる部分のみを説明する。図１７及び図１８に示す擁壁ブロック１Ａには、一の土留用壁１１に対して地中水排水プレート１３ｂの取付箇所が２箇所形成されている。このように、地中水排水プレート１３ｂの取付箇所は、複数であっても良いし、その取付箇所も土留用壁１１の長手方向側端部１１ｄに限られるものではない。
【００３７】
かかる地中水排水プレート１３ｂは、ポーラスコンクリートより構成される第１地中水排水プレート１３ｂ１と、複数の透孔を有する鉄材により構成される第２地中水排水プレートと１３ｂ２とによって構成されている。このように地中水排水プレート１３ｂを積層構造としても良い。勿論、積層構造とする場合の材質は、上記実施例に限られるものではない。例えば、第１地中水排水プレート１３ｂ１の材質をフィルター材等にしても良いが、積層構造とする場合には、第１地中水排水プレート１３ｂ１（即ち、道路舗装材Ｃと接触する方（内方壁面１１ａ側の排水プレート））の材質の方が第２地中水排水プレート１３ｂ２（外方壁面１１ｂ側の排水プレート）の材質よりも目の細かいものの方が好ましい。このように積層構造とすることにより、土留めの対象が目の細かい土材であっても、地中水排水プレート１３ｂを介して土留用壁１１の外方壁面１１ｂ側に流れ出してしまうことを防止することができるのである。
【００３８】
土留用壁１１の外方壁面１１ｂ側にも、導水用凹部１４が複数箇所（本実施例では２箇所）形成されている。そして、導水用凹部１４の上方には、土留用壁１１の外方壁面１１ｂ側から内方壁面１１ａ側に連通する連通孔１４ｂが穿設されている。そして、地中水排水プレート１３ｂを介して排水された地表水及び地中水は、連通孔１４ｂを介して、導水用凹部１４へ導水される。
【００３９】
「第１１実施例」
次に、図１９及び図２０を参照して、本発明の更に他の実施例（第１１実施例）について説明する。なお、上記実施例と同一の部分には、同一の符号を付してその説明を省略し、異なる部分のみを説明する。図１９及び図２０に示す第１１実施例の擁壁ブロック１Ｂには、土留用壁１１の上端部に内方壁面１１ａ側から外方壁面１１ｂ側まで連通するスリット（切欠き）１１３が複数、形成されている。そして、このスリット１１３を介して、地中水及び地表水が排水されるのである。この第１１実施例の擁壁ブロック１Ｂは、土留めの対象が道路舗装材Ｃである場合に、有効である。何故なら、道路舗装材Ｃは、土材とは異なり、スリット状としても流れて行かない。このため、製造費の低減、及び、施工作業の簡略化を実現することができる。
【００４０】
土留用壁１Ｂの外方壁面１１ｂ側には、各スリット１１３に対応する導水用凹部１４が複数、形成されている。そして、スリット１１３を介して排水される地表水及び地中水は、導水用凹部１４を介して下方へ導水される。
【００４１】
以上、実施例に基づき本発明を説明したが、本発明の実施例は、上記の実施例に限られるものではなく、本発明の趣旨を逸脱しない範囲内で種々の改良変形が可能であることは容易に推察することができるものである。そして、本発明の技術的範囲には、それら種々の改良変形も含まれる。
【００４２】
なお、本発明には、以下の発明が含まれる。
【００４３】
擁壁ブロックを構成する土留用壁の上端部に形成される透孔又は切欠きの形成箇所に、土留めされる土材又は道路舗装材に対向するように固着され、前記土材又は道路舗装材内に含まれる地中水を前記土留用壁の外方壁面へ排水することを特徴とする擁壁ブロックの排水用部材（Ａ）。
【００４４】
擁壁ブロックを構成する土留用壁の上端部に形成される透孔又は切欠きの形成箇所であって、前記土留用壁の上端面側または内方壁面側に固着され、土留めされる土材又は道路舗装材の上面に溜まる地表水を前記土留用壁の外方壁面へ排水することを特徴とする擁壁ブロックの排水用部材（Ｂ）。
【００４５】
擁壁ブロック（Ａ）と一体的に形成され、土留用壁の上端面側または内方壁面側に固着されることを特徴とする擁壁ブロックの排水用部材（Ｃ）。
【００４６】
固定用壁と土留用壁とを備えた擁壁ブロックにおいて、前記土留用壁の上端部に土留用壁に内方壁面側から外方壁面側まで連通するように形成される排水用切欠き部と、前記土留用壁の外方壁面側に形成され、前記排水用切欠き部の形成箇所から前記土留用壁の下方へ延設される導水用凹部とを備えており、前記排水用切欠き部は、土留めされる土材又は道路舗装材の内部に含まれる地中水及び、前記土材又は道路舗装材の上面に溜まる地表水を前記土留用壁の外方壁面へ排水する一方、前記導水用凹部は、前記排水用切欠き部より排水される地表水及び地中水を前記土留用壁の下方へ導水することを特徴とする擁壁ブロック（Ｄ）。
【００４７】
【発明の効果】
請求項１記載の擁壁ブロックによれば、土留めされる土材又は道路舗装材に対向するように固着された地中水排水用部材により、地中水が土留用壁の外方壁面へ排水されるので、土留めされる土材又は道路舗装材内に水が溜まってしまうことを防止することができるという効果を奏する。特には、地表近くの水分を、地中深くに浸透させることなくを迅速に排水することが可能となる。
【００４８】
また、地中水排水用部材により、地中水が土留用壁の外方壁面へ排水されるので、土留用壁の側方へ水しぶきが飛んでしまうことを防止することができるという効果を奏する。
【００４９】
更には、土留用壁の外方壁面に形成され地中水排水用部材の配設箇所から土留用壁の下方へ延設される導水用凹部により、地中水排水用部材により排水される地中水が土留用壁の下方へ導水されるので、水の通道を限定することができ、ひいては、雨等により多量の地中水が生じた場合にも、その多量の地中水を土留用壁の下方へ導水することができるという効果を奏する。
【００５０】
更には、地中水排水用部材が土留用壁の上端部の透孔又は切欠きの形成箇所に形成されているので、地中水の土留用壁の外方壁面への排水を円滑に行うことができるという効果も奏する。
【００５１】
請求項２記載の擁壁ブロックによれば、土留用壁の上端部に形成される透孔又は切欠きの形成箇所の上側に固着された地表水排水用部材により、地表水が土留用壁の外方壁面へ排水されるので、土留される土材又は道路舗装材の上面に地表水が溜まってしまうことを防止することができるという効果を奏する。
【００５２】
また、地表水排水用部材により、地表水が地中水が土留用壁の外方壁面へ排水されるので、土留用壁の側方へ水しぶきが飛んでしまうことを防止することができるという効果を奏する。
【００５３】
更には、土留用壁の外方壁面に形成され地表水排水用部材の配設箇所から土留用壁の下方へ延設される導水用凹部により、地中水排水用部材により排水される地中水が土留用壁の下方へ導水されるので、水の通道を限定することができ、ひいては、雨等により多量の地表水が生じた場合にも、その多量の地表水を土留用壁の下方へ導水することができるという効果を奏する。
【００５４】
更には、地中水排水用部材が土留用壁の上端部の透孔又は切欠きの形成箇所に固着されるので、地中水の土留用壁の外方壁面への排水を円滑に行うことができるとともに、擁壁ブロックの設置後においても地中水排水用部材の固着作業を行うことができるという効果を奏する。
【００５５】
請求項３記載の擁壁ブロックによれば、請求項２記載の擁壁ブロックの奏する効果に加え、更に、土留めされる土材又は道路舗装材に対向するように固着された地中水により、それら土材又は道路舗装材内に含まれる地中水が土留用壁の外方壁面へ排水される一方、導水用凹部により、地中水排水用部材より排水される地中水が土留用壁の下方へ導水されるので、請求項１記載の擁壁ブロックと同様の効果を奏することができるという効果がある。
【００５６】
請求項４記載の擁壁ブロックによれば、請求項１から３の何れかに記載の擁壁ブロックの奏する効果に加え、更に、案内部により、土留される土材若しくは道路舗装材内に含まれる地中水、又はそれら土材若しくは道路舗装材上に溜まる地表水が地中水排水用部材又は地表水排水用部材の配設箇所まで案内されるので、地表水又は地中水の排水を円滑とすることができるという効果を奏する。
【００５７】
請求項５記載の擁壁ブロックによれば、請求項１から４の何れかに記載の擁壁ブロックの奏する効果に加え、更に、導水用凹部の表面に形成された緩衝用凹凸部により、排水の流れが遅くされるので、排水が土留用壁の下方に配設された配設物に衝突した際に水しぶきが発生してしまうことを防止することができるという効果を奏する。
【図面の簡単な説明】
【図１】  本発明の一実施例である擁壁ブロックの内方壁面側からの斜視図である。
【図２】  図１に示す擁壁ブロックの外方壁面側からの斜視図である。
【図３】  図１に示す擁壁ブロックの設置例を示す図である。
【図４】  図１に示す擁壁ブロックの他の設置例を示す図である。
【図５】  第２実施例の擁壁ブロックを並べた状態を示す斜視図である。
【図６】  第３実施例の擁壁ブロックの設置例を示す図である。
【図７】  第４実施例の擁壁ブロックの設置例を示す図である。
【図８】  第５実施例の擁壁ブロックの設置例を示す図である。
【図９】  第６実施例の擁壁ブロックの設置例を示す図である。
【図１０】  第７実施例の擁壁ブロックの内方壁面側からの斜視図である。
【図１１】  図１０に示す擁壁ブロックの外方壁面側からの斜視図である。
【図１２】  図１０に示す擁壁ブロックを並べて設置した状態を示す平面図である。
【図１３】  第８実施例の擁壁ブロックの内方壁面側からの斜視図である。
【図１４】  図１３に示す擁壁ブロックの外方壁面側からの斜視図である。
【図１５】  第９実施例の擁壁ブロックの内方壁面側からの斜視図である。
【図１６】  図１５に示す擁壁ブロックの外方壁面側からの斜視図である。
【図１７】  第１０実施例の擁壁ブロックの内方壁面側からの斜視図である。
【図１８】  図１７に示す擁壁ブロックの外方壁面側からの斜視図である。
【図１９】  第１１実施例の擁壁ブロックの内方壁面側からの斜視図である。
【図２０】  図１９に示す擁壁ブロックの外方壁面側からの斜視図である。
【図２１】  従来技術の擁壁ブロックの設置例を示す図である。
【図２２】  従来技術の擁壁ブロックの他の設置例を示す図である。
【図２３】  従来技術の擁壁ブロックの更に他の設置例を示す図である。
【図２４】  従来技術の擁壁ブロックの更に他の設置例を示す図である。
【符号の説明】
１        擁壁ブロック
２        擁壁ブロック
３        擁壁ブロック
４        擁壁ブロック
５        擁壁ブロック
６        擁壁ブロック
７        擁壁ブロック
８        擁壁ブロック
９        擁壁ブロック
１Ａ      擁壁ブロック
１Ｂ      擁壁ブロック
１１      土留用壁
１１ａ    内方壁面
１１ｂ    外方壁面
１２      固定用壁
１３      排水用部材
１３ａ    地表水排水プレート
１３ｂ    地中水排水プレート
１３ｂ１  第１地中水排水プレート
１３ｂ２  第２地中水排水プレート
１４    導水用凹部
１５    案内部
２３    排水用部材
２４    導水用凹部
５５    案内用凸状壁
７３    グレーチング
７４    導水用凹部
１１３  スリット
【図１】
0003639980.tif 000002
【図２】
0003639980.tif 000003
【図３】
0003639980.tif 000004
【図４】
0003639980.tif 000005
【図５】
0003639980.tif 000006
【図６】
0003639980.tif 000007
【図７】
0003639980.tif 000008
【図８】
0003639980.tif 000009
【図９】
0003639980.tif 000010
【図１０】
0003639980.tif 000011
【図１１】
0003639980.tif 000012
【図１２】
0003639980.tif 000013
【図１３】
0003639980.tif 000014
【図１４】
0003639980.tif 000015
【図１５】
0003639980.tif 000016
【図１６】
0003639980.tif 000017
【図１７】
0003639980.tif 000018
【図１８】
0003639980.tif 000019
【図１９】
0003639980.tif 000020
【図２０】
0003639980.tif 000021
【図２１】
0003639980.tif 000022
【図２２】
0003639980.tif 000023
【図２３】
0003639980.tif 000024
【図２４】
0003639980.tif 000025